(57)【要約】【課題】重要物などを保管するロッカー装置において、管理者による管理者モードの操作で不正な使用を防止する。【解決手段】セキュリティルーム２の入退場扉制御装置４で入退室を管理する。ロッカー装置１の制御部１３の制御により、カードデータに対応する管理者の認証を行う。操作表示部１２のシリンダ錠１２４が管理者のオペレーションキーで操作されると管理者モードとする。「コマンド」の操作を最高の認証レベルとし、複数人の管理者の全てのカードデータ及び暗証番号の認証で操作可能とする。「帳票」の操作を中程度の認証レベルとし、一人の管理者のカードデータ及び暗証番号の認証で操作可能とする。「設定」の操作は低い認証レベルとしオペレーションキーの操作ででシリンダ錠１２４をオンにするだけで操作可能とする。【選択図】図１
2008248651.tif 000002
【特許請求の範囲】
【請求項１】
複数のロッカーボックスと入力される利用者ＩＤの認証により該ロッカーボックスの利用を可能とする制御手段とを備え、該制御手段の制御により複数種類の管理機能を利用できるロッカー装置において、
前記制御手段は互いに異なる複数の管理者ＩＤが登録されるとともに、前記複数種類の管理機能のうちの特定の管理機能に対して、入力される複数の管理者ＩＤの認証により該特定の管理機能を利用可能としたことを特徴とするロッカー装置。
【請求項２】
前記複数種類の管理機能を利用できる管理者モードを備え、特定のマスター起動操作により該管理者モードを起動でることを特徴とする請求項１に記載のロッカー装置。
【発明の詳細な説明】
【技術分野】
【０００１】
本発明は、  複数のロッカーボックスと入力される利用者ＩＤ（暗証番号等）の認証により該ロッカーボックスの利用を可能とする制御手段とを備え、該制御手段の制御により複数種類の管理機能を利用できるロッカー装置に関する。
【背景技術】
【０００２】
従来、暗証番号式のロッカー装置は、鍵などを保管する必要がなく、また、鍵の紛失や盗難などによる不都合も回避できるという利点があり、広く普及している。例えば、ゴルフ場などのスポーツ施設で会員（メンバー）にロッカーを指定して提供するものがある。また、会社等で特に業務上の重要物等を保管するために、特定の社員等にロッカーボックスを指定して使用させるロッカー装置などがある。
【０００３】
ところで、このようなロッカー装置においては、その管理の都合上、特定の管理者による管理者モード等において、ロッカーを強制的に施解錠したり、暗証番号等の各種の設定内容を確認したり、変更したりできるものがある。例えば、特開平８−２１８６９６号公報（特許文献１）、特許第２６４１１３５号公報（特許文献２）には、管理者が管理者用のオペレーションキーやマスターカードを使用することで、ディスプレイに管理用のメニューを表示し、このメニュー及びテンキー等の操作により、各種データの設定等を行えるものが開示されている。
【特許文献１】特開平８−２１８６９６号公報
【特許文献２】特許第２６４１１３５号公報
【発明の開示】
【発明が解決しようとする課題】
【０００４】
前記のようなロッカーの管理は、管理者一人だけでも管理者モードの操作を行えるのが一般的である。例えば、管理者用のキーやマスターカードがあれば一人の管理者によって管理者モードの操作を行うことができる。このため、管理者の不正行為も可能であり、防犯性に乏しいという問題がある。逆に、一人の管理者が管理することから管理者にとって責任が重く負担になることもある。
【０００５】
本発明は、複数の利用者が利用可能で暗証番号を入力することにより解錠する暗証番号式のロッカー装置において、管理者モードにおける防犯性を高めることを課題とする。
【課題を解決するための手段】
【０００６】
請求項１のロッカー装置は、複数のロッカーボックスと入力される利用者ＩＤの認証により該ロッカーボックスの利用を可能とする制御手段とを備え、該制御手段の制御により複数種類の管理機能を利用できるロッカー装置において、前記制御手段は互いに異なる複数の管理者ＩＤが登録されるとともに、前記複数種類の管理機能のうちの特定の管理機能に対して、入力される複数の管理者ＩＤの認証により該特定の管理機能を利用可能としたことを特徴とする。
【０００７】
なお、請求項１において、「利用者ＩＤ」は例えば暗証番号等、「管理者ＩＤ」は例えば暗証番号、カードＩＤと暗証番号、生体情報（指紋、虹彩パターン、眼底血管パターン）等である。
【０００８】
請求項２のロッカー装置は、請求項１に記載のロッカー装置であって、前記複数種類の管理機能を利用できる管理者モードを備え、特定のマスター起動操作により該管理者モードを起動でることを特徴とする。
【０００９】
請求項２において、「管理者モード」は例えば管理者メニューのモード、「特定のマスター起動操作」は例えばオペレーションキーの挿入回動操作、マスターカードＩＤの入力操作等である。
【発明の効果】
【００１０】
請求項１のロッカー装置によれば、特定の管理機能に対しては複数の管理者に対応する管理者ＩＤが認証されなければ利用できないので、管理者モードにおける防犯性が高まる。
【００１１】
請求項２のロッカー装置によれば、請求項１の効果に加えて、管理機能を利用できる管理者モードを起動するためには、オペレーションキーやマスターカード等によるマスター起動操作が必要となるため、さらに防犯性が高まる。
【発明を実施するための最良の形態】
【００１２】
次に、本発明のロッカー装置の実施形態を図面を参照して説明する。図１は本発明の実施形態のロッカー装置を用いた重要物保管ボックスシステムの概略図であり、この  実施形態のシステムは、企業の社屋や工場内に構築されたものである。ロッカー装置１は所定のセキュリティルーム（保管室）２内に設置され、パソコン３は管理室等に設置されている。セキュリティルーム２には、このセキュリティルーム２の図示しない扉の施解錠を制御する入退場扉制御装置４が配設されている。また、ロッカー装置１、パソコン３および入退場扉制御装置４はＬＡＮ（ローカルエリアネットワーク）により相互に接続されている。
【００１３】
なお、この実施形態ではＬＡＮを構成しているが、ロッカー装置１を単独（スタンドアローン）にしたものでもよい。また、図１では一つのセキュリティルーム２内のロッカー装置１だけを示しているが、他のセキュリティルームとロッカー装置をＬＡＮで接続してあっても同様である。
【００１４】
ロッカー装置１は、複数のロッカーボックス１１と、中央に配置された操作表示部１２とを備えている。また、ロッカー装置１内には、各ロッカーボックス１１の扉の施解錠の制御と、操作表示部１２における入力と表示の制御を行う「制御手段」としての制御部１３、ＬＡＮとの接続制御を行うＬＡＮボード１４を備えている。
【００１５】
図２(A) に示すように、ロッカーボックス１１の扉１１１には、扉番号を印したステッカー１１２、およびランプを内蔵した把手１１３が配設され、扉１１１が当接する框部には扉１１１を施解錠するための電気錠１１４が配設されている。また、図２(B) に示すように、操作表示部１２には、内蔵したカードリーダー１２１のカードスライド部１２１ａ、液晶表示器等で構成されたタッチパネル１２２、赤外線等で利用者を感知する省エネセンサ１２３、管理者がオペレーションキーで操作するシリンダ錠１２４が配設されている。なお、シリンダ錠１２４はオペレーションキーを差し込んで右に回せばＯＮとなり、左に回せばＯＦＦとなる。
【００１６】
制御部１３はマイクロコンピュータ等で構成されており、後述の制御プログラムを実行する。そして、カードデータの入力の制御、タッチパネル１２２における表示と操作入力の制御を行い、暗証番号の照合を行い、電気錠１１４の施解錠を制御する。また、制御部１３は、シリンダ錠１２４の操作により、管理者モードを起動し、タッチパネル１２２における表示と操作入力の制御により、管理者モードにおける各種管理機能を実行する。なお、制御部１３は、ＬＡＮボード１４を介してパソコン３および入退場扉制御装置４との相互通信も行う。
【００１７】
入退場扉制御装置４はカードリーダー４１を備えており、このカードリーダー４１のカードスライド部はセキュリティルーム２の外部に露出されている。
【００１８】
以上の構成により、ＩＤカード（社員カード）を用いてロッカー装置１を使用する。このＩＤカードには、社員番号、社員名、所属部署等の社員情報がカードデータとして磁気記録されており、この実施形態ではこのカードデータが利用者ＩＤ及び管理者ＩＤに相当する。なお、各ＩＤカードのカードデータは管理者側のパソコン３に登録されている。そして、利用者にロッカーボックス１１（あるいはそのエリア）を割り当てる（登録するとき）とき、パソコン３または管理者モードにおいて、割り当てるロッカーボックス１１のロッカー番号をカードデータに対応付けて制御部１３に登録（記憶）する。なお、パソコン３で登録した場合はカードデータとロッカー番号の対応を示すデータは、ＬＡＮを介してロッカー装置１の制御部１３に登録される。
【００１９】
また、セキュリティルーム２への入室を許可されている利用者のカードデータ（社員番号等）はＬＡＮを介して入退場扉制御装置４に登録されており、カードリーダー４１で利用者のＩＤカードのカードデータを読み取り、入室を許可するものとして認証すると、扉を解錠するとともに、そのカードデータが、入退場扉制御装置４からロッカー装置１の制御部１３に転送される。また、ロッカー装置１におけるロッカーボックス１１の使用状況等のデータは、制御部１３からパソコン３に転送したり、パソコン３から制御部１３にデータ転送を供給するなどして、パソコン３で管理することもできる。
【００２０】
図３は実施形態における入退場扉制御装置４の制御プログラムの要部フローチャート、図４及び図５は実施形態におけるロッカー装置１の制御部１３の制御プログラムの要部フローチャートであり、図４は利用者モードと管理者モードの選択操作処理のフローチャート、図５は管理者モードの処理のフローチャートである。また、図６はタッチパネル１３の表示例を示す図であり、同図に基づいて動作を説明する。なお、制御部１３には、複数の管理者の各々のＩＤカードのカードデータがそれぞれ登録されている。
【００２１】
図３に示すように、入退場扉制御装置４は、ステップＳ１で、カードリーダー４１によりＩＤカードの検知を監視し、ＩＤカードが検知されると、ステップＳ２でそのＩＤカードのカードデータに基づいて入室が許可されているか認証し、認証がＯＫでなければステップＳ３で例えば「入室できません」等の表示をするなど拒否警告を出してステップＳ１に戻る。認証がＯＫであれば、ステップＳ４で、セキュリティルーム２の電気錠を解錠するとともに、ロッカー装置１の制御部１３に対して入室を検知したという結果を転送する。次に、ステップＳ５で外出の有無を監視し、退出が検出されればステップＳ６で制御部１３に退出検出の結果を転送し、ステップＳ１に戻る。
【００２２】
図４の処理では、ステップＳ１１で、入退場扉制御装置４の処理結果に基づいて入室の有無を判定し、入室があれば、ステップＳ１２で図６(A) の待機画面である扉番号入力画面を表示する。そして、ステップＳ１３で扉番号の入力の有無を判定し、扉番号の入力がなければ、ステップＳ１６でシリンダ錠１２４のＯＮの判定を行う。扉番号入力もなく、シリンダ錠１２４のＯＮもなければ、ステップＳ１８で退室の有無を判定し、退室があればステップＳ１９で画面を消去してステップＳ１１に戻り、退室がなければステップＳ１２に戻る。ステップＳ１２に戻る場合は図６(A) の待機画面の状態となる。
【００２３】
ステップＳ１３で扉番号の入力が有った場合には、ステップＳ１４で扉番号がＯＫであるか否か（現在のカードデータに対応するロッカーボックスの扉番号であるか否か）を判定する。扉番号がＯＫでなければステップＳ１８に進み、扉番号がＯＫであれば、ステップＳ１５で利用者モード処理を行って、ステップＳ１８に進む。なお、この利用者モード処理では、暗証番号の照合による解錠の処理等を行う。一方、ステップＳ１６でシリンダ錠１２４のＯＮが有れば、すなわち、管理者がオペレーションキーをシリンダ錠１２４に差し込んで右に回せば、ステップＳ１７で図５の管理者モードの処理を行いステップＳ１８以降の処理を行う。
【００２４】
図５の管理者モードの処理では、ステップＳ２１で、図６(B) のオペレータモードのシークレット番号入力画面を表示するとともに、入力されたシークレット番号を読み取る。そして、ステップＳ２２でシークレット番号がＯＫであるか否か（登録されている管理者のシークレット番号であるか否か）を判定する。シークレット番号がＯＫでなければステップＳ２１に戻り、シークレット番号がＯＫであればステップＳ２３で図６(C) のオペレータ初期画面を表示し、ステップＳ２４に進む。そして、ステップＳ２４，Ｓ２５で、所定時間（例えば３０秒）以内に画面操作による選択操作が有るかを監視し、所定時間内に選択操作がなければステップＳ２３に戻る。
【００２５】
図６(C) のオペレータ初期画面では、「コマンド」、「帳票」及び「設定」の選択肢が表示されるので、所定の画面操作でこれらの中から選択する。そして、ステップＳ２４で所定時間内に選択操作があれば、ステップＳ２６，Ｓ２７で「コマンド」、「帳票」の選択であるかを判定し、「コマンド」の選択であればステップＳ２８以降の処理を行う。「帳票」の選択であればステップＳ３３以降の処理を行う。何れでもなければ「設定」の選択であるのでステップＳ３８で設定作業の処理を行い、元のルーチンに復帰する。
【００２６】
「コマンド」が選択されると、ステップＳ２８で複数人の管理者に対する処理を行う。この処理は、予め決められた複数人（例えば３人）の管理者のおのおのについて、カードリーダー１２１によりＩＤカードの読み取りとそのカードデータの認証を行うとともに、その管理者の暗証番号の入力及び認証を行う。そして、ステップＳ２９で全ての管理者についての認証がＯＫであるか否か（登録されている管理者のカードデータ及び暗証番号であるか否か）を判定し、全ての管理者についての認証がＯＫであれば、ステップＳ３０でコマンドの処理を行って元のルーチンに復帰する。なお、全ての管理者についての認証がＯＫでなければ、ステップＳ３１で処置が不可能である旨の表示を行い、ステップＳ３２の判定で、中止の指示がなければステップＳ２８に戻り、中止が指示されれば元のルーチンに復帰する。
【００２７】
「帳票」が選択されると、ステップＳ３３で、予め決められた複数人の管理者の内の任意の一人の管理者について、ＩＤカードによるカードデータの認証と、その管理者の暗証番号の入力及び認証を行う。そして、ステップＳ３４でその管理者についての認証がＯＫであるか否かを判定し、その管理者についての認証がＯＫであればステップＳ３５で帳票の処理を行って元のルーチンに復帰する。なお、その管理者についての認証がＯＫでなければステップＳ３６で処置が不可能である旨の表示を行い、ステップＳ３７の判定で、中止の指示がなければステップＳ３３に戻り、中止が指示されれば元のルーチンに復帰する。
【００２８】
図７は管理者モードにおける管理操作の内容を示す図であり、「コマンド」の操作には、一斉解錠、一斉施錠、一斉暗証消去、個別解錠、…等の重要な操作を含んでいる。この「コマンド」の操作は最高の認証レベルの操作であり、前記のように複数人の管理者の全てのカードデータ及び暗証番号の認証が必要となる。また、「帳票」の操作には、操作履歴、設定値、扉状態の帳票（レシート）の出力、操作履歴のクリア等の操作を含んでいる。この「帳票」の操作は中程度の認証レベルの操作であり、前記のように一人の管理者のカードデータ及び暗証番号の認証が必要となる。また、「設定」の操作は、暗証番号の制限、警報ブザーの設定、システムロック、レシート発行等の操作を含んでいる。この「設定」の操作は低い認証レベルの操作であり、管理者がオペレーションキーでシリンダ錠１２４をオンにするだけで操作できる。
【００２９】
以上の実施形態では、複数の管理者あるいは一人の管理者に対して、カードデータと暗証番号により認証を行うようにしているが、暗証番号のみの認証でもよいし、指紋、虹彩パターン、眼底血管パターン等の生体情報による認証でもよい。また、オペレーションキーの操作で管理者モードを起動するようにしているが、この管理者モードは、管理者用のマスターカードのカードデータの認証によって起動するようにしてもよい。
【００３０】
また、実施形態では企業の社屋や工場内に構築される貴重品ロッカーを例に説明したが、コインロッカーやスポーツ施設等に設けられた貴重品ロッカー等に適用してもよい。
【図面の簡単な説明】
【００３１】
【図１】本発明の実施形態のロッカー装置を用いた重要物保管ボックスシステムの概略図である。
【図２】本発明の実施形態のロッカー装置における扉と操作表示部の拡大図である。
【図３】本発明の実施形態における入退場扉制御装置の制御プログラムの要部フローチャートである。
【図４】本発明の実施形態における利用者モードと管理者モードの選択操作処理のフローチャートである。
【図５】本発明の実施形態における管理者モードの処理のフローチャートである。
【図６】本発明の実施形態における表示例を示す図である。
【図７】本発明の実施形態における管理操作の内容を示す図である。
【符号の説明】
【００３２】
１    ロッカー装置
２    セキュリティルーム
３    パソコン
４    入退場扉制御装置
１１  ロッカーボックス
１２  操作表示部
１３  制御部
【図１】
2008248651.tif 000003
【図２】
2008248651.tif 000004
【図３】
2008248651.tif 000005
【図４】
2008248651.tif 000006
【図５】
2008248651.tif 000007
【図６】
2008248651.tif 000008
【図７】
2008248651.tif 000009